(57)【要約】【課題】発明は、非常時に排水流路の切り替えを適切なタイミングで行い得る排水システムの提供を目的とした。【解決手段】本発明の排水システム１０は、第一流路ｃ１と、第二流路ｃ２とを備える排水管路２０と、排水流路Ｃ上に設けられ、第一流路ｃ１と第二流路ｃ２とを切り替え可能とする流路切替手段と、第一流路ｃ１上であって、流路切替手段よりも下流側に設けられる排水マス６０と、排水マス６０における水位を直接的あるいは間接的に検知する水位検知装置７４と、報知装置７８とを有し、水位検知装置７４が異常水位を検知することを条件として、報知装置７８が作動して第二流路ｃ２への切り替えを促す切替促進報知が行われることを特徴とする。【選択図】図１
2019206894.tif 000002
【特許請求の範囲】
【請求項１】
屋内側である上流側から下流側へと汚水を排水させる排水システムであって、
排水流路を形成し、通常時用の排水流路を形成する第一流路と、前記第一流路とは別系統の排水流路を形成する第二流路とを備える排水管路と、
前記排水流路上に設けられ、前記第一流路と前記第二流路とを切り替え可能とする流路切替手段と、
前記第一流路上であって、前記流路切替手段よりも下流側に設けられる排水マスと、
前記排水マスにおける水位を直接的あるいは間接的に検知する水位検知装置と、
報知装置とを有し、
前記水位検知装置が異常水位を検知することを条件として、前記報知装置が作動して前記第二流路への切り替えを促す切替促進報知が行われることを特徴とする排水システム。
【請求項２】
汚水貯留槽を有し、
前記第二流路が、前記流路切替手段から前記汚水貯留槽に至るように形成されていることを特徴とする請求項１に記載の排水システム。
【請求項３】
前記流路切替手段が、マス本体と、切替部材とを備える切替式排水マスとされ、
前記切替式排水マスは、前記マス本体に対する前記切替部材の相対位置が変位されることにより、前記排水流路が切り替えられることを特徴とする請求項１又は２に記載の排水システム。
【請求項４】
前記排水マスが、前記上流側から前記下流側への汚水の流れを許容し、前記下流側から前記上流側への汚水の流れを制限する逆流抑制弁を備えることを特徴とする請求項１〜３のいずれかに記載の排水システム。
【請求項５】
前記水位検知装置が、前記排水マスの水位に関する情報を取得するもの、あるいは圧力の状態を検知することにより間接的に水位に関する情報を取得するものであることを特徴とする請求項１〜４のいずれかに記載の排水システム。
【請求項６】
前記排水マスが、前記上流側から前記下流側への汚水の流れを許容し、前記下流側から前記上流側への汚水の流れを制限する逆流抑制弁を備えるものであり、
前記水位検知装置が、前記排水マスの水位を検知する水位センサであることを特徴とする請求項１〜５のいずれかに記載の排水システム。
【発明の詳細な説明】
【技術分野】
【０００１】
本発明は、汚水を排水する排水システムに関する。
【背景技術】
【０００２】
従来から、排水設備から下水本管に汚水を排出する汚水排出システムが知られている。排水設備としては、例えば、トイレ、風呂、または台所の流し台などが挙げられる。この種の汚水排出システムは、排水設備と下水本管とをつなぐ排水管路を備えている。排水設備から流出する汚水は、排水管路を通じて下水本管へ排出される。
【０００３】
ところで、大規模な地震または津波などの災害が発生した際、下水本管や排水管路が破損するおそれがある。下水本管等が破損してしまった場合、下水本管から汚水が外部に漏れてしまうおそれがあった。
【０００４】
災害時において下水本管等が破損した場合に、排水設備の機能を確保するための技術として、下記特許文献１には、排水設備から排出される汚水の流路を切り替え可能とされた汚水排水システムが開示されている。特許文献１の汚水排水システムは、通常時では排水設備から排出される汚水を下水本管へと排出し、災害などが発生した場合に排水設備から排出される汚水を貯留槽へと排出可能とされている。
【先行技術文献】
【特許文献】
【０００５】
【特許文献１】特開２０１５−９８７６６号公報
【発明の概要】
【発明が解決しようとする課題】
【０００６】
特許文献１の汚水排出システムでは、地震や津波などの災害により下水本管が破損した場合に、汚水の排出先を通常時とは他の流路へと切り替えることにより、汚水が逆流して屋内に流入したり、汚水が地上へと溢れたりすること（オーバーフロー）を抑制可能としている。このように、特許文献１の汚水排出システムは、災害時に排水設備の機能を確保することができる。
【０００７】
ところで、特許文献１のような汚水排出システムを導入するにあたり、近年では大規模な災害も想定されることが増加し、下水本管の修復など復旧するまでの期間が長期化することが想定されている。ここで、汚水排水システムにより、通常時とは別系統の排水流路を設ける場合、貯留容量に限りがある貯留槽などが設けられる場合が多い。災害発生時に、屋内へ汚水が流入して不衛生な状態となることを回避するため、いち早く排水流路を切り替えることも考えられる。しかしながら、さほど緊急性を要しない状況であるにも関わらず、時期尚早に排水流路の切り替えが行われると、必要な時に貯留容量が限度を超えてしまい、せっかく設置した貯留槽等の設備が使えないなどの事態が想定される。また、その一方で、排水流路の切り替えるタイミングが遅いと、屋内への汚水流入や排水流路の切り替えが困難となることが懸念される。
【０００８】
このように、非常時における排水流路の切り替えは、適切なタイミングで行うための対策が求められていた。その一方で、排水管路は地中に埋設されているため、外部からの視認が困難である。そのため、排水システムの状況をタイムリーに把握することは困難であった。
【０００９】
そこで本発明は、非常時に排水流路の切り替えを適切なタイミングで行い得る排水システムの提供を目的とした。
【課題を解決するための手段】
【００１０】
上述の課題を解決すべく提供される本発明の排水システムは、屋内側である上流側から下流側へと汚水を排水させる排水システムであって、排水流路を形成し、通常時用の排水流路を形成する第一流路と、前記第一流路とは別系統の排水流路を形成する第二流路とを備える排水管路と、前記排水流路上に設けられ、前記第一流路と前記第二流路とを切り替え可能とする流路切替手段と、前記第一流路上であって、前記流路切替手段よりも下流側に設けられる排水マスと、前記排水マスにおける水位を直接的あるいは間接的に検知する水位検知装置と、報知装置とを有し、前記水位検知装置が異常水位を検知することを条件として、前記報知装置が作動して前記第二流路への切り替えを促す切替促進報知が行われることを特徴とするものである。
【００１１】
本発明の排水システムによれば、排水流路の切り替えをタイムリーに報知して、作業者が適切なタイミングで排水流路の切り替えを行うことができる。その結果、本発明の排水システムは、非常時用の排水設備（例えば、汚水貯留槽）を有効活用することができる。
【００１２】
本発明の排水システムは、汚水貯留槽を有し、前記第二流路が、前記流路切替手段から前記汚水貯留槽に至るように形成されていることが望ましい。
【００１３】
上述の構成によれば、非常時用の排水設備として設けられた汚水貯留槽を、有効活用することができる。
【００１４】
本発明の排水システムは、前記流路切替手段が、マス本体と、切替部材とを備える切替式排水マスとされ、前記切替式排水マスは、前記マス本体に対する前記切替部材の相対位置が変位されることにより、前記排水流路が切り替えられるものであることが望ましい。
【００１５】
上述の構成によれば、継手などにより排水流路の切り替えを行う場合と比較して、工具などを要さず、マス本体に対して切替部材を変位させる作業により、容易に排水流路の切り替えを行うことができる。その結果、本発明の排水システムは、専門の知識を持つ作業者が現場に到着できない場合など、排水システムが設置された建物の居住者など、専門の知識を持たない者であっても排水流路の切り替えを行うことができる。
【００１６】
また、本発明の排水システムは、前記排水マスが、前記上流側から前記下流側への汚水の流れを許容し、前記下流側から前記上流側への汚水の流れを制限する逆流抑制弁を備えるものであることが望ましい。
【００１７】
上述の構成によれば、汚水の上流側への逆流を効率的に抑制することができる。
【００１８】
本発明の排水システムは、前記水位検知装置が、前記排水マスの水位に関する情報を取得するもの、あるいは圧力の状態を検知することにより間接的に水位に関する情報を取得するものとすることができる。
【００１９】
本発明の排水システムによれば、大がかりな設備等を要さず、排水流路の切り替えをタイムリーに報知して、作業者が適切なタイミングで排水流路の切り替えを行うことができる。その結果、本発明の排水システムは、非常時用の排水設備（例えば、汚水貯留槽）を有効活用することができる。
【００２０】
また、本発明の排水システムは、前記排水マスが、前記上流側から前記下流側への汚水の流れを許容し、前記下流側から前記上流側への汚水の流れを制限する逆流抑制弁を備えるものであり、前記水位検知装置が、前記排水マスの水位を検知する水位センサであることが望ましい。
【００２１】
上述の構成によれば、汚水の逆流を抑制しつつ、異常水位の検知精度を向上させることができる。これにより、本発明の排水システムは、さらにレスポンス良くタイムリーに切替促進報知を行うことができる。
【発明の効果】
【００２２】
本発明によれば、非常時に排水流路の切り替えを適切なタイミングで行い得る排水システムを提供することができる。
【図面の簡単な説明】
【００２３】
【図１】本発明の実施形態に係る排水システムを示す模式図である。
【図２】図１の排水システムの切替式排水マスを示す断面図である。
【図３】図２の切替式排水マスのマス本体及び切替部材を示す斜視図である。
【図４】図２の切替式排水マスのマス本体及び切替部材を示す断面図であって、図３のＡ−Ａ’線断面図である。（ａ）は第一流路を形成した状態、（ｂ）は第二流路を形成した状態である。
【図５】図１の排水システムの排水マスを示す断面図である。
【図６】図１の排水システムの通常時の排水流路を示す模式図である。
【図７】図１の排水システムの切替促進報知が行われる際の模式図である。
【図８】図１の排水システムの非常時の排水流路を示す模式図である。
【発明を実施するための形態】
【００２４】
以下、図面を参照しつつ、本発明の実施形態に係る排水システム１０について具体的に説明する。図１は、排水システム１０を示す模式図である。
【００２５】
排水システム１０は、屋内２側である上流側から下流側へと汚水を排水させるものである。より具体的には、排水システム１０は、建物１の屋内２に配置された排水設備３から建物１の外部の下水本管４に汚水を排水するものである。
【００２６】
なお、以下の説明における汚水の流路において、屋内２側を単に「上流側」と、下水本管４側を単に「下流側」と記載して説明する場合がある。
【００２７】
また、「建物」とは、少なくとも壁を有する建築物のことを指し、住宅、商業施設、工場、校舎および倉庫などが含まれる。また、「屋内」には、屋根および壁に囲まれた床上の空間はもちろんのこと、床下の空間も含まれる。平面視において、壁に囲まれた部分は「建物内」である。
【００２８】
「汚水」とは、例えばトイレ、風呂および台所の流し台などから排出される水であり、そのままでは河川に放流させることができないものである。「排水設備」とは、汚水を排出する設備のことである。「排水設備」は、例えば、トイレ、風呂または台所の流し台などが挙げられる。
【００２９】
図１では、一つの建物１内に設けられた一つの排水設備３を図示しているが、建物１および排水設備３の数は特に限定されない。排水システム１０が設置される建物１の数は、一つであってもよいし、複数であってもよい。また、屋内２には、一つの排水設備３のみが設けられていてもよく、複数の排水設備３が設けられていてもよい。
【００３０】
また、下水本管４は、汚水を汚水処理場（図示せず）に導く管である。建物１の排水設備３から流出する汚水は、通常時においては下水本管４に排出される。
【００３１】
本明細書における「排水マス」には、汚水マス、雨水マス、公共マスなどの各種の排水マスが含まれる。また、本明細書における「排水マス」には、マス本体のほか、点検筒や蓋体を含むものとして説明する。
【００３２】
図１に示すとおり、排水システム１０は、排水管路２０、切替式排水マス３０（流路切替手段）、排水マス６０、汚水貯留槽７２、水位検知装置７４、及び報知装置７８を有している。
【００３３】
排水システム１０は、排水管路２０により形成される汚水の排水流路Ｃ上に、切替式排水マス３０（流路切替手段）、及び排水マス６０が配置されている。
【００３４】
以下、排水システム１０の各構成について説明し、次いで排水システム１０による排水流路Ｃの切り替え、及び排水流路Ｃの切り替えを適切なタイミングで報知する動作について説明する。
【００３５】
排水管路２０は、汚水の流路である排水流路Ｃを形成している。排水管路２０は、複数の配管を組み合わせることにより、汚水の流路となる排水流路Ｃを形成している。
【００３６】
また、排水管路２０は、排水設備３から排出された汚水を下水本管４に排水させる排水流路Ｃとして、第一流路ｃ１を形成可能としている。さらに、排水管路２０は、排水設備３から排出された汚水を汚水貯留槽７２に排出させる排水流路Ｃとして、第一流路ｃ１とは別系統の第二流路ｃ２を形成可能としている。
【００３７】
なお、「管路」とは、水を流通させる通路を意味する。「管路」は、一本の配管により構成されていてもよく、本実施形態のように、複数本の配管とそれらを接続する継手とにより構成されていてもよい。また、「排水流路」とは、水（汚水等）が排出される際に辿る経路を意味する。
【００３８】
図１に示すとおり、排水管路２０は、上流側配管２２、第一配管２４、第二配管２６、及び下流側配管２８を備えている。上流側配管２２は、排水設備３と切替式排水マス３０とを接続している。第一配管２４は、切替式排水マス３０と排水マス６０とを接続している。第二配管２６は、切替式排水マス３０と汚水貯留槽７２とを接続している。下流側配管２８は、排水マス６０と下水本管４とを接続している。
【００３９】
排水管路２０は、上流側配管２２、第一配管２４、及び下流側配管２８により、排水設備３から排出された汚水を下水本管４に排水させる第一流路ｃ１を形成している。また、排水管路２０は、上流側配管２２、及び第二配管２６により、排水設備３から排出された汚水を汚水貯留槽７２に排水させる第二流路ｃ２を形成している。
【００４０】
言い換えれば、排水管路２０は、汚水を第一流路ｃ１により下水本管４に排出させる通常時用の排水流路Ｃとして、第一流路ｃ１を形成している。また、排水管路２０は、下水本管４や下流側配管２８、あるいは第一配管２４等の破損など、汚水が屋内２側へ逆流するおそれがある場合の非常時用の排水流路Ｃとして、汚水を汚水貯留槽７２に排出させる第二流路ｃ２を形成している。
【００４１】
なお、排水システム１０は、第一流路ｃ１と第二流路ｃ２とを切替式排水マス３０（流路切替手段）により切り替え可能としている。排水流路Ｃの切り替え動作、及び切り替えを促すタイミングについては、後で詳述する。
【００４２】
図１に示すとおり、切替式排水マス３０は、排水マス６０よりも上流側に設けられている。また、切替式排水マス３０は、建物１の外の地中に埋設されている。本実施形態で示す例では、第一配管２４において切替式排水マス３０と排水マス６０との間には、他の排水マスは設けられていない。なお、本発明の排水システムは、切替式排水マス３０よりも上流側に一又は複数の排水マスを設けてもよい。また、本発明の排水システムは、複数の排水設備から排出される汚水が合流する部分に切替式排水マスを設けてもよい。また、本発明の排水システムは、流路切替手段として、継手など他の手段によるものとしてもよい。
【００４３】
図２に示すとおり、切替式排水マス３０（流路切替手段）は、マス本体３２、切替部材４０、点検筒５０、及び蓋体５２を有している。切替式排水マス３０は、マス本体３２に対する切替部材４０の相対位置が変位されることにより、排水流路Ｃを第一流路ｃ１から第二流路ｃ２へ、あるいは第二流路ｃ２から第一流路ｃ１へと切り替え可能とされている。
【００４４】
本実施形態の切替式排水マス３０は、塩ビ、強化繊維プラスチックなどの樹脂素材を加工成形したものとされている。なお、本発明の排水システムの流路切替手段は、マス本体や点検筒をコンクリートなどの素材により形成されたものであってもよい。
【００４５】
図２及び図３に示すとおり、マス本体３２は、上部及び下部に開口が形成され、複数の略筒状の部分が一体的に形成された部材である。また、マス本体３２の側部には、二つの開口が形成されている。さらに、図３に示すとおり、マス本体３２の内側には、段差部３７が形成されている。
【００４６】
マス本体３２の上部に形成された開口は、点検口３３とされている。また、マス本体３２は、側部に形成された二つの開口のうち、一方が汚水を流入させる流入口３４とされ、他方が汚水を流出させる第一流出口３５とされている。さらに、マス本体３２の下部に形成された開口は、汚水を流出させる第二流出口３６とされている。すなわち、マス本体３２には、一つの流入口３４と、第一流出口３５及び第二流出口３６の二つの流出口が設けられている。
【００４７】
図３に示すとおり、マス本体３２は、上述した４つの開口を形成する筒状の部分を備えている。具体的には、マス本体３２は、点検口３３を形成する点検口形成部３２ａと、流入口３４を形成する流入口形成部３２ｂと、第一流出口３５を形成する第一流出口形成部３２ｃと、第二流出口３６を形成する第二流出口形成部３２ｄとを有している。
【００４８】
図２に示すように、点検口３３は、地面に向かって開口している。点検口３３には、点検筒５０が接続されている。点検筒５０の上端は、地面と略同じ高さとなるように配置されている。作業者は、地上から点検筒５０を通じて、マス本体３２の内部に破損または詰まりなどがないかを点検することができる。なお、点検筒５０の上端には、蓋体５２が配置されている。蓋体５２は、地上から取り外しが可能である。点検筒５０は、蓋体５２によって閉じられている。蓋体５２によって、切替式排水マス３０内の汚水から発生する悪臭が点検口３３を通じて外部に漏れることを防止することができる。
【００４９】
流入口３４は、排水設備３から流出した汚水が流入する部位である。本実施形態では、流入口３４は、配管が挿入される受口であるが、配管に挿入される差口であってもよい。前述の通り、流入口３４には上流側配管２２が接続される。なお、本実施形態では、流入口３４には、上流側配管２２が直接接続されるが、流入口３４に配管が他の部材などを介して間接的に接続されていてもよい。上記他の部材としては、フレキシブルジョイントまたはゴム製の継手などの伸縮自在なものを好適に用いることができる。
【００５０】
第一流出口３５は、マス本体３２内に流入した汚水が流出する部位である。第一流出口３５は、マス本体３２の側部であって、流入口３４と対向する位置に設けられている。本実施形態では、第一流出口３５は受口であるが、第一流出口３５は差口であってもよい。前述の通り、第一流出口３５には、第一配管２４が接続される。第一流出口３５には、第一配管２４が直接接続されていてもよく、上記配管が他の部材を介して間接的に接続されていてもよい。
【００５１】
第二流出口３６は、第一流出口３５と同様に、マス本体３２内に流入した汚水が流出する部位である。第二流出口３６は、マス本体３２の下部に設けられており、下向きに開口している。第二流出口３６は、平面視において、流入口３４と第一流出口３５との間に配置されている。図１に示すように、排水システム１０では、汚水貯留槽７２が切替式排水マス３０の下方に配置されており、第二流出口３６は、第二配管２６を介して汚水貯留槽７２に接続されている。なお、第二流出口３６は、配管などを介さず汚水貯留槽７２に直接的に接続されていてもよい。
【００５２】
切替部材４０は、汚水の排水流路Ｃを第一流路ｃ１及び第二流路ｃ２に相互に切り替えるための部材である。具体的には、切替部材４０は、排水設備３から流出した汚水を、第一流路ｃ１により下水本管４に排水させ、又は第二流路ｃ２により汚水貯留槽７２に排水させるように汚水の排水流路Ｃを切り替えるために設けられている。
【００５３】
切替部材４０は、マス本体３２の内部に収容されている。また、切替部材４０は、第二流出口形成部３２ｄに着脱可能とされている。切替部材４０が第二流出口形成部３２ｄに嵌め込まれると、第二流出口３６は閉鎖される。切替部材４０が第二流出口形成部３２ｄから取り外されると、第二流出口３６は開放される。
【００５４】
図３に示すように、切替部材４０は、本体部４２と、持ち手４３と、嵌合部４４と、越流抑止板４５とを備えている。
【００５５】
図３に示すとおり、本体部４２は、断面視において略Ｕ字状に形成されている。本体部４２の両側には、径方向外側に突出するように鍔状部４２ｂが形成されている。また、本体部４２は、流入口３４から第一流出口３５へと繋がる流路を形成する底面４２ａを備えている。
【００５６】
図３に示すとおり、持ち手４３は、一端側の鍔状部４２ｂから他端側の鍔状部４２ｂに至り、本体部４２を横断するように設けられている。嵌合部４４は、本体部４２の下方に設けられている。嵌合部４４は、第二流出口３６を閉塞すべく、第二流出口３６に嵌合可能な略円筒状の部分である。本実施形態では、嵌合部４４の外周部には、ゴム製のシール部材４４ａが設けられている。このシール部材４４ａによって、第二流出口３６と切替部材４０の嵌合部４４との間のシールが図られている。越流抑止板４５は、第二流路ｃ２を形成させる際に、第一流出口３５側へ汚水が越流することを抑制するために設けられている。
【００５７】
切替式排水マス３０は、第二流出口形成部３２ｄに切替部材４０の嵌合部４４が嵌め込まれた状態では、第二流出口３６を閉鎖して、流入口３４から流入した汚水を第一流出口３５から流出させる。具体的には、図３及び図４（ａ）に示すとおり、流入口３４及び第一流出口３５が連通するように第一流路ｃ１を形成させる場合には、切替部材４０は、鍔状部４２ｂがマス本体３２の段差部３７（図４では図示を省略）に支持されるような姿勢に維持される。これにより、切替部材４０は、底面４２ａが流入口形成部３２ｂの底面および第一流出口形成部３２ｃの底面を接続するように配置され、断面視において略Ｕ字状の排水路を形成する。
【００５８】
切替式排水マス３０は、第二流出口３６に切替部材４０の嵌合部４４が嵌め込まれた状態から、マス本体３２に対する切替部材４０の位置を変位させることで、汚水の排出口を第一流出口３５から第二流出口３６に切り替えることができる。
【００５９】
具体的には、図４（ａ）に示す状態から、切替部材４０の持ち手４３を把手して上方に持ち上げ、切替部材４０を周方向に約９０度回転するように変位させると、切替部材４０は、マス本体３２の段差部３７（図４では図示を省略）の上方に本体部４２が支持された状態となる（図４（ｂ）参照）。図４（ｂ）に示すとおり、本体部４２がマス本体３２の段差部３７に支持された状態では、底面４２ａが流入口形成部３２ｂの底面及び第一流出口形成部３２ｃの底面から離間して、閉鎖されていた第二流出口３６が開放される。
【００６０】
第二流出口３６が開放された状態では、流入口３４からマス本体３２内に流入した汚水は、第一流出口３５に到達する前に第二流出口３６に向けて落下し、第二流出口３６から流出する。これにより、切替式排水マス３０は、第一流出口３５から汚水を流出させる状態から、第二流出口３６から汚水を流出させる状態へと切り替えることができる。また、切替式排水マス３０は、上述とは逆の動作、すなわち嵌合部４４が第二流出口形成部３２ｄから外された状態から、嵌合部４４が第二流出口形成部３２ｄに嵌め込まれた状態とすることで、第二流出口３６から汚水を流出させる状態から第一流出口３５から汚水を流出させる状態へと切り替えることができる。
【００６１】
排水マス６０は、切替式排水マス３０よりも排水流路Ｃの下流側に設けられている排水マスである。排水マス６０は、切替式排水マス３０よりも下流側に設けられる排水マスであれば、汚水マス、雨水マスなどいかなる種類の排水マスであってもよい。また、本実施形態の排水マス６０は、塩ビ、強化繊維プラスチックなどの樹脂素材を加工成形したものとされている。なお、本発明の排水システムの排水マスは、マス本体や点検筒をコンクリートなどにより形成したものであってもよい。
【００６２】
図５に示すとおり、排水マス６０は、マス本体６２、点検筒６８、及び蓋体６９を有している。また、排水マス６０には、逆流抑制弁７０が設けられている。
【００６３】
図５に示すとおり、マス本体６２は、複数の略筒状の部分が一体的に形成された部材である。マス本体６２は、上下方向のうち上部に開口が形成され、下方が閉塞された略筒状の外観を有する部材である。また、マス本体６２の側部には、二つの開口が形成されている。
【００６４】
図５に示すとおり、マス本体６２は、上述した４つの開口及び閉塞部分を形成する筒状の部分を備えている。マス本体６２の上部に形成された開口は、点検口６３とされている。また、マス本体６２は、側部に形成された二つの開口のうち、一方が汚水を流入させる流入口６４とされ、他方が汚水を流出させる流出口６５とされている。
【００６５】
点検口６３には、点検筒６８が接続されている。流入口６４には、第一配管２４が接続され、流出口６５には、下流側配管２８が接続されている。
【００６６】
逆流抑制弁７０は、下流側から上流側に向かって汚水が逆流することを防止するためのものである。本実施形態では、逆流抑制弁７０は、排水マス６０に設けられている。なお、本発明の排水システムの逆流抑制弁は、下流側から上流側に向かって汚水の逆流を抑制することができるものであれば、その構成は特に限定されない。また、本発明の排水システムの逆流抑制弁は、排水マスに設けられるもののほか、排水マスと切替式排水マスとの間に設けられるものであってもよい。
【００６７】
逆流抑制弁７０は、上流側から下流側への汚水の流れを許容し、下流側から上流側への汚水の流れを制限するためのものである。逆流抑制弁７０は、マス本体６２内の流入口６４側であって、流入口形成部６２ｂの下流側の端部に配置されている。逆流抑制弁７０は、マス本体６２に対して揺動可能であって、着脱可能に取り付けられている。逆流抑制弁７０は、汚水が流れないときには、流入口６４を塞いでいる。逆流抑制弁７０は、第一配管２４から汚水が流れてきたときには、その汚水によって押し上げられる。これにより、排水マス６０は、上流側から汚水が流れた場合の流路が確保される。よって、上流側から流れてきた汚水は、逆流抑制弁７０によって流れが阻止されることなく、下流側配管２８に流れ込む。一方、下流側配管２８から排水マス６０の内部に汚水が逆流してきた場合は、その汚水は、流入口６４を覆う逆流抑制弁７０によって流れが制限され、第一配管２４への流入が規制される。
【００６８】
なお、逆流抑制弁７０は、予め排水マス６０に設けられているものであってもよいし、排水マス６０に対して着脱可能なものであってもよい。例えば、逆流抑制弁７０は、連結部材を介して排水マス６０に取り付けられるものであってもよい。
【００６９】
汚水貯留槽７２は、排水設備３から排出した汚水を貯留する槽である。図１に示すように、汚水貯留槽７２は建物１の外に配置されており、地中に埋設されている。図１に示すように、汚水貯留槽７２は、第二配管２６を介して切替式排水マス３０と接続されている。汚水貯留槽７２には、第二流出口３６から流れる汚水が貯留される。汚水貯留槽７２は、内部に密封された空間を有している。汚水貯留槽７２が密封式であることにより、汚水貯留槽７２内の汚水から発生する悪臭が外部に漏れないようになっている。汚水貯留槽７２は必ずしも地中に埋設されていなくてもよい。汚水貯留槽７２は、地上に設置されていてもよい。
【００７０】
水位検知装置７４は、排水マス６０における水位を直接的あるいは間接的に検知するために設けられている。具体的には、水位検知装置７４は、排水マス６０の水位に関する情報を取得するもの、あるいは圧力の状態を検知することにより間接的に水位に関する情報を取得するものである。本実施形態の水位検知装置７４は、水位センサとされている。水位検知装置７４は、排水マス６０の点検筒６８の内周面に取り付けられている。
【００７１】
なお、本発明の排水システムの水位検知装置は、本実施形態のように水位センサにより直接的に排水マス６０の水位を検知するもののほか、圧力の状態を検知することにより水位を間接的に検知するものであってもよい。また、本発明の排水システムの水位検知装置は、画像を監視することで水位を間接的に検知するものであってもよい。
【００７２】
水位検知装置７４は、排水マス６０内の水位が異常水位Ｐに到達した場合に、信号を出力する。また、水位検知装置７４から出力された信号は、図示を省略した通信線等の通信設備を介して、設備監視室８の制御部７６に伝達される。
【００７３】
報知装置７８は、水位検知装置７４が異常水位Ｐを検知したことに基づいて作動して、切替促進報知を行うものである。具体的には、報知装置７８は、水位検知装置７４の検知情報に基づいて、切替式排水マス３０の切替部材４０を操作して、第二流路ｃ２への切り替えを促す報知（切替促進報知）を行う。本実施形態では、報知装置７８は、設備監視室８に設置された端末装置とされている。本実施形態の報知装置７８は、水位検知装置７４の検知情報に基づいて、音声の出力及び画像の表示により、切替促進報知を行う。
【００７４】
なお、報知装置７８は、音声等の音の出力や画像を表示する機能を有するものであれば、いかなる端末装置であってもよい。例えば、本発明の排水システムの報知装置は、水位検知装置７４から出力される信号を受信して、音声により切替促進報知を行うスピーカとしてもよい。また、本発明の排水システムの報知装置は、水位検知装置７４から出力される信号を受信して、視覚的に認識可能である情報により切替促進報知を行うものであってもよい。例えば、本発明の排水システムの報知装置は、ランプの点灯、警報音の出力、画像の表示などにより、切替促進報知を行うものであってもよい。
【００７５】
また、本実施形態では、設備監視室８に制御部７６及び報知装置７８を設置した例を示したが、本発明の排水システムはこれに限定されない。例えば、本発明の排水システムは、報知装置７８を設備監視室８とは別の場所に設けたものであってもよい。なお、設備監視室８は、建物１の屋内２に設置されているものであってもよいし、建物１とは別の場所に設置されているものであってもよい。
【００７６】
＜通常時及び非常時の排水流路と切替促進報知が行われるタイミング＞
次に、図６〜８を参照しつつ、排水システム１０の通常時及び非常時の排水流路Ｃと、切替促進報知が行われるタイミングについて説明する。排水システム１０は、通常時は排水設備３から流出する汚水を下水本管４に排出する。また、排水システム１０は、地震または津波などの災害が発生して下水本管４などが破損したとき（非常時）には、切替式排水マス３０の排水流路Ｃを切り替えることにより、排水設備３から流出する汚水を汚水貯留槽７２に排出するように用いられる。
【００７７】
＜通常時の排水流路＞
図６に示すとおり、通常時では、排水システム１０は、第一流路ｃ１により排水設備３から排出された汚水を下水本管４へと排水する。より具体的に説明すると、上述のとおり、第一流路ｃ１を形成させた状態では、切替式排水マス３０の第二流出口３６は、嵌合部４４（図６では図示を省略）によって塞がれている。図６に示すように、排水設備３から流出した汚水は、上流側配管２２に流れた後、切替式排水マス３０の流入口３４からマス本体３２に流入する。マス本体３２に流入した汚水は、第二流出口３６を閉塞している切替部材４０の底面４２ａ（図４（ａ）参照）の上方を通り、第一流出口３５からマス本体３２の外へ流出する。
【００７８】
第一流出口３５から流出した汚水は、第一配管２４、排水マス６０、及び下流側配管２８を経由して、下水本管４に排出される。そして、下水本管４に流れた汚水は、汚水処理場などに流され処理される。
【００７９】
このように、排水システム１０は、通常時において、上流側配管２２から第一配管２４を経由する第一流路ｃ１により、排水設備３から排出された汚水を下水本管４へと排水させる。
【００８０】
＜切替促進報知時＞
図７に示すとおり、地震や津波などの災害が発生して、下水本管４あるいは排水管路の破損などにより排水マス６０に汚水が流入すると、排水システム１０は、切替式排水マス３０の切替操作により排水流路Ｃを第二流路ｃ２に切り替えることを促す切替促進報知を行う。
【００８１】
切替促進報知が行われる動作について、より具体的に説明する。上述のとおり、排水マス６０には、逆流抑制弁７０が設けられている。排水マス６０の内部に流入した汚水は、逆流抑制弁７０により上流側への流路が遮断される。そのため、排水マス６０の内部では、急激に水位が上昇する。排水マス６０内の水位が異常水位Ｐに到達すると、水位検知装置７４により異常水位Ｐが検知され、異常水位Ｐに到達したことを示唆する信号が送信される。
【００８２】
水位検知装置７４により送信された信号は、制御部７６を介して報知装置７８に情報が伝達される。報知装置７８は、水位検知装置７４の検出情報に基づいて作動し、管理者に認識し得る態様で切替促進報知を行う。切替促進報知は、例えば、設備監視室８に設置された端末装置である報知装置７８により、「異常水位を検知しました。流路の切り替えを行ってください」などの音声の出力や画像の表示により行うことができる。これにより、管理者が流路の切り替えを行う必要があることを認識することができる。
【００８３】
このように、排水システム１０は、非常時において、通常時用の第一流路ｃ１から別系統の第二流路ｃ２に切り替えることを要することを、適切なタイミングで報知することができる。
【００８４】
また、排水システム１０では、排水マス６０の上流側の開口である流入口６４に逆流抑制弁７０が設けられている。言い換えれば、排水システム１０では、汚水の逆流が発生した場合に、最も早く水位が上昇する排水マス６０の内部に逆流抑制弁７０が設けられている。そのため、排水システム１０は、水位が異常水位Ｐに到達したことの検知精度を向上させ、さらにレスポンスよく報知することができる。
【００８５】
＜非常時の排水流路＞
切替促進報知により、管理者が切替式排水マス３０の切り替え操作を行うと、排水流路Ｃは、排水設備３から排出された汚水を汚水貯留槽７２に排出させる第二流路ｃ２に切り替えられる。
【００８６】
排水流路Ｃの切り替え動作は、例えば以下のようにして行うことができる。まず、作業者は、点検筒５０に被せられた蓋体５２を点検筒５０から取り外す。次に、切替部材４０の持ち手４３を把手して切替部材４０を引き上げて、切替部材４０を周方向に約９０度回転させる。これにより、切替部材４０がマス本体３２に対して上方に保持され、第二流出口３６が開放された状態で維持される。なお、持ち手４３に作業者の手が届かないような場合は、例えば先端にフックを有する棒状体などを使用して、上記フックを持ち手４３に引っ掛けて切替部材４０を引き上げればよい。
【００８７】
非常時では、排水設備３から流出した汚水は、上流側配管２２を流れた後、切替式排水マス３０の流入口３４からマス本体３２に流入する。このとき、第二流出口３６が切替部材４０から開放されており、また、第二流出口３６はマス本体３２の下部に形成されているので、マス本体３２に流入した汚水は、第二流出口３６に落下してマス本体３２の外へ流出する。第二流出口３６から流出した汚水は、汚水貯留槽７２へ排出される。
【００８８】
このように、排水システム１０は、非常時において、上流側配管２２から第二配管２６を経由する第二流路ｃ２により、排水設備３から排出された汚水を汚水貯留槽７２へと排水させる。また、上述のとおり、排水システム１０は、排水流路Ｃを第二流路ｃ２へと切り替える必要があることを、適切なタイミングで報知する。そのため、排水システム１０は、必要以上に早いタイミングで汚水を汚水貯留槽７２に排出させることを回避することができる。その結果、排水システム１０は、汚水貯留槽７２を有効利用することができる。
【００８９】
以上、本発明の実施形態に係る排水システム１０について説明したが、本発明は上述の実施形態に限定されない。
【００９０】
上述の実施形態に係る排水システム１０では、切替式排水マス３０を建物１の敷地内に設けられた例を示したが、本発明の排水システムの切替式排水マスは、建物１の外に設けられていてもよい。
【００９１】
また、上述の実施形態に係る排水システム１０の切替式排水マス３０は、樹脂素材を加工成形したものによるものとした例を示したが、本発明はこれに限定されない。上述のとおり、本発明の排水システムは、切替式排水マスのマス本体をコンクリートにより構成してもよい。また、本発明の排水システムは、流路切替手段に相当する構成として継手などを用いて、流路を切り替え可能としてもよい。
【００９２】
なお、流路の切り替えの際に継手をつなぎ変える手法では、作業にあたってある程度の技能が必要であり、また、工具が必要である。そのため、本発明の排水システムは、上述の実施形態のように、マス本体に対して切替部材の位置を変位させるだけで流路の切り替えを行うことができるものであることが望ましい。本実施形態で説明した排水システム１０の切替式排水マス３０は、マス本体３２に対する切替部材４０を変位させるだけで、流路を容易に切り替えることができ、工具は特に不要である上に、高度な技能を要しない。そのため、排水システム１０は、災害時など建物の住民自らが流路を切り替えなくてはならない場合に、住民自らが工具を用いなくても流路を容易に切り替えることができる。
【００９３】
さらに、上述の実施形態に係る排水システム１０では、汚水貯留槽７２を設けた例を示したが、本発明の排水システムはこれに限定されない。例えば、本発明の排水システムは、第二流路により汚水を排出する場合に、下水本管４とは別系統の下水本管へと排出させてもよいし、これら以外の排出系統に汚水を排出するものであってもよい。
【産業上の利用可能性】
【００９４】
本発明の排水システムは、汚水を排水する排水システムとして好適に採用することができる。
【符号の説明】
【００９５】
２      屋内
１０    排水システム
２０    排水管路
３０    切替式排水マス（流路切替手段）
３２    マス本体
４０    切替部材
６０    排水マス
７０    逆流抑制弁
７２    汚水貯留槽
７４    水位検知装置
７８    報知装置
Ｃ      排水流路
ｃ１    第一流路
ｃ２    第二流路
Ｐ      異常水位
【図１】
2019206894.tif 000003
【図２】
2019206894.tif 000004
【図３】
2019206894.tif 000005
【図４】
2019206894.tif 000006
【図５】
2019206894.tif 000007
【図６】
2019206894.tif 000008
【図７】
2019206894.tif 000009
【図８】
2019206894.tif 000010